(57)【要約】【課題】薄手ですっきりとした防寒性の高い防寒具及び日々の生活において使用可能な防寒用靴下を提供する。【解決手段】表編地１１と裏編地１２とが連続的に編成された筒状の編地によって形成されたレッグウォーマー１であって、連続的に編成された筒状の編地の裏編地１２を表編地１１の内側に折り重ねた後、裏編地１２の下端縁よりも下方側に張り出した表編地１１の下端部を内側に折り返すことによって、裏編地１２の下端部を表編地１１によって挟み込み、その挟み込み部分を縫い合わせることで、表編地１１及び裏編地１２の下端部同士が接続された二重構造になっている。【選択図】        図２
0003180354.tif 000002
【実用新案登録請求の範囲】
【請求項１】
少なくとも、前腕または下腿に装着される、編地によって形成された筒状の防寒具であって、
相互に重ね合わされた状態で、端部同士が接続されている表編地と裏編地とを有していることを特徴とする二重構造の防寒具。
【請求項２】
前記表編地及び前記裏編地は、その一端側が連続的に編成されている請求項１に記載の防寒具。
【請求項３】
前記裏編地は、絹糸または絹糸を含む混紡糸によって編成されている請求項１または２に記載の防寒具。
【請求項４】
編地によって形成された防寒用靴下であって、
足先から少なくとも下腿に至る部分を覆う主編地と、
前記主編地の上端部に連設され、前記主編地における少なくとも下腿に対応する部分に折り重ねられる外編地とを有していることを特徴とする防寒用靴下。
【請求項５】
前記主編地及び前記外編地は、連続的に編成されている請求項４に記載の防寒用靴下。
【考案の詳細な説明】
【技術分野】
【０００１】
この考案は、レッグウォーマーやアームカバー等の手足用の防寒具及び防寒用靴下に関する。
【背景技術】
【０００２】
例えば、脚に装着する防寒具としては、膝下から足首に至る下腿部分に装着するレッグウォーマーがあり、通常は、毛糸等の編糸によって編成された筒状の編地によって形成されている。
【先行技術文献】
【特許文献】
【０００３】
【特許文献１】特開２００４−１７６２２２
【考案の概要】
【考案が解決しようとする課題】
【０００４】
ところで、こういったレッグウォーマーの防寒性を高めるには、太い毛糸等を用いてざっくりと編成する必要があるので、編地自体がかなり厚くなってしまい、足下をすっきりと見せることができないといった問題がある。
【０００５】
また、室内では、レッグウォーマーを外したいという人もいるが、厚い編地によって形成されたレッグウォーマーはかなり嵩張るので、バッグ等に収納しにくく、携帯性が悪いといった問題もある。
【０００６】
また、日々の生活において使用する靴下については、靴を履くことを考慮すると、厚手の編地によって形成することができないので、防寒性を高めることが難しいといった問題があり、日々の生活において使用できる防寒用靴下は存在していないのが現状である。
【０００７】
そこで、この考案の課題は、薄手ですっきりとした防寒性の高い防寒具及び日々の生活において使用可能な防寒用靴下を提供することにある。
【課題を解決するための手段】
【０００８】
上記の課題を解決するため、請求項１に係る考案は、少なくとも、前腕または下腿に装着される、編地によって形成された筒状の防寒具であって、相互に重ね合わされた状態で、端部同士が接続されている表編地と裏編地とを有していることを特徴とする二重構造の防寒具を提供するものである。
【０００９】
また、請求項２に係る考案は、請求項１に係る考案の防寒具において、前記表編地及び前記裏編地は、その一端側が連続的に編成されていることを特徴としている。
【００１０】
また、請求項３に係る考案は、請求項１または２に係る考案の防寒具において、前記裏編地が、絹糸または絹糸を含む混紡糸によって編成されていることを特徴としている。
【００１１】
また、請求項４に係る考案は、編地によって形成された防寒用靴下であって、足先から少なくとも下腿に至る部分を覆う主編地と、前記主編地の上端部に連設され、前記主編地における少なくとも下腿に対応する部分に折り重ねられる外編地とを有していることを特徴とする防寒用靴下を提供するものである。
【００１２】
また、請求項５に係る考案は、請求項４に係る考案の防寒用靴下において、前記主編地及び前記外編地が、連続的に編成されていることを特徴としている。
【考案の効果】
【００１３】
以上のように、請求項１に係る考案の防寒具は、相互に重ね合わされた状態で、端部同士が接続されている表編地と裏編地とを有する二重構造なので、表編地と裏編地との間に断熱性の高い空気層が形成され、十分な保温効果を確保することができる。従って、防寒性を高めるために、太い編糸等を用いてざっくりと編成する必要がなく、編地自体が厚くならないので、足下をすっきりと見せることができると共に、外したときに嵩張ることがなく、携帯性にも優れている。
【００１４】
また、請求項２に係る考案の防寒具は、一端側において、表編地及び裏編地が連続的に編成されているので、その一端側が伸縮性に優れており、手足に装着しやすいという効果がある。
【００１５】
また、請求項３に係る考案の防寒具は、裏編地が、絹糸または絹糸を含む混紡糸によって編成されているので、裏編地の吸湿性が高く、汗冷えしにくいという効果がある。
【００１６】
また、請求項４に係る考案の防寒用靴下は、少なくとも下腿を覆う部分が、主編地及びその外側に重ね合わされる外編地からなる二重構造なので、請求項１に係る考案の防寒具と同様に、十分な保温効果を確保することができ、しかも、下腿を覆っている二重構造の編地自体が厚くならないので、足下をすっきりと見せることができる。
【００１７】
また、請求項５に係る考案の防寒用靴下は、主編地及び外編地が連続的に編成されているので、外編地の折り返し端が伸縮性に優れており、装着しやすいという効果がある。
【図面の簡単な説明】
【００１８】
【図１】この考案に係る防寒具の一実施形態であるレッグウォーマーを示す側面図である。
【図２】（ａ）は図１のＸ−Ｘ線に沿った断面図、（ｂ）は図１のＹ−Ｙ線に沿った断面図、（ｃ）は図１のＺ−Ｚ線に沿った断面図である。
【図３】同上のレッグウォーマーを形成している編地を示す平面図である。
【図４】（ａ）、（ｂ）は同上のレッグウォーマーの製造工程を示す工程図である。
【図５】他の実施形態である防寒用靴下を示す側面図である。
【考案を実施するための形態】
【００１９】
以下、実施の形態について図面を参照して説明する。図１及び図２（ａ）〜（ｃ）は、この考案に係る防寒具の一実施形態であるレッグウォーマーを示している。このレッグウォーマー１は、図３に示すように、表編地１１と裏編地１２とが連続的に編成された筒状の編地１０によって形成されており、図４（ａ）に示すように、連続的に編成された筒状の編地１０の裏編地１２を表編地１１の内側に折り重ねた後、同図（ｂ）に示すように、裏編地１２の下端縁よりも下方側に張り出した表編地１１の下端部を内側に折り返すことによって、裏編地１２の下端部を表編地１１によって挟み込み、その挟み込み部分を縫い合わせることで、表編地１１及び裏編地１２の下端部同士が接続された二重構造になっている。なお、レッグウォーマーは、下腿から足首に至る部分に装着するのが一般的であるが、本考案のレッグウォーマーは、少なくとも、下腿に装着されるものであればよく、下腿から足首に至る部分以外の部分、例えば、膝やかかとに至る部分に装着されるものを排除するものではない。
【００２０】
前記表編地１１は、羊毛、アクリル繊維、ポリアミド繊維からなる混紡糸を用いて編成された、ジャガード編地によって形成されていると共に、裏編地１２は、絹糸、ポリアミド繊維、ポリウレタン繊維からなる混紡糸を用いて編成されたゴム編地によって形成されており、裏編地１２の下端部の表編地１１による挟み込み部分は、ポリアミド加工糸１３によって縫い合わされている。
【００２１】
以上のように、このレッグウォーマー１は、相互に重ね合わされた状態で、端部同士が接続されている表編地１１と裏編地１２とからなる二重構造なので、表編地１１と裏編地１２との間に断熱性の高い空気層が形成され、十分な保温効果を確保することができる。従って、防寒性を高めるために、従来のレッグウォーマーのように、太い編糸等を用いてざっくりと編成する必要がなく、編地自体が厚くならないので、足下をすっきりと見せることができると共に、外したときに嵩張ることがなく、携帯性にも優れている。
【００２２】
特に、表編地１１及び裏編地１２が連続的に編成されているので、裏編地１２の折り返し縁である一方の端部（上端部）が伸縮性に優れており、装着しやすいという効果があると共に、裏編地１２が、絹糸を含む混紡糸によって編成されているので、裏編地１２の吸湿性が高く、汗冷えしにくいという効果がある。
【００２３】
なお、このレッグウォーマー１では、表編地１１及び裏編地１２が連続的に編成された筒状の編地１０における裏編地１２部分を表編地１１部分の内側に折り重ね、表編地１１及び裏編地１２の端部同士を縫い合わせることによって接続しているが、これに限定されるものではなく、独立した筒状の表編地１１の内側に、独立した筒状の裏編地１２を重ね合わせ、両端部を縫い合わせることによって、表編地１１と裏編地１２とを接続するようにしてもよい。
【００２４】
また、このレッグウォーマー１では、羊毛、アクリル繊維、ポリアミド繊維からなる混紡糸を用いたジャガード編地によって表編地１１を、絹糸、ポリアミド繊維、ポリウレタン繊維からなる混紡糸を用いて編成されたゴム編地によって裏編地１２を形成しているが、これに限定されるものではなく、編糸や編成方法については任意に選択すればよい。従って、表編地と裏編地とが同じ編地によって形成されていてもよいことは言うまでもない。
【００２５】
また、本考案の防寒具として、上述した実施形態では、下腿に装着されるレッグウォーマーについて説明したが、これに限定されるものではなく、前腕に装着されるアームカバーに適用することも可能である。また、アームカバーは、前腕から手首に至る部分に装着するのが一般的であるが、本考案のアームカバーは、少なくとも、前腕に装着されるものであればよく、前腕から手首に至る部分以外の部分、例えば、肘や手の甲に至る部分に装着されるものを排除するものではない。
【００２６】
図５は本考案に係る防寒用靴下の一実施形態を示している。この防寒用靴下２は、足先から少なくとも下腿に至る部分を覆う主編地２１と、この主編地２１の上端部に連設され、主編地２１における下腿に対応する部分に折り重ねられる筒状の外編地２２とから構成されており、主編地２１と外編地２２とは連続的に編成されている。
【００２７】
前記主編地２１は、上述したレッグウォーマー１を構成している裏編地１２と同様に、絹糸、ポリアミド繊維、ポリウレタン繊維からなる混紡糸を用いて編成されたゴム編地、外編地２２は、上述したレッグウォーマー１を構成している表編地１１と同様に、羊毛、アクリル繊維、ポリアミド繊維からなる混紡糸を用いたジャガード編地であるが、外編地２２の下端部は、内側に折り返された状態で、その折り返し部分がポリアミド加工糸２３によって縫い合わされているだけで、主編地２１に接続されているわけではない。
【００２８】
この防寒用靴下２は、少なくとも下腿を覆う部分が、主編地２１及びその外側に重ね合わされる外編地２２からなる二重構造なので、上述したレッグウォーマー１と同様に、十分な保温効果を確保することができ、しかも、下腿を覆っている二重構造の編地自体が厚くならないので、足下をすっきりと見せることができる。
【００２９】
また、主編地２１及び外編地２２が連続的に編成されているので、外編地２２の折り返し縁である上端部が伸縮性に優れており、はきやすいという効果があると共に、主編地２１が、絹糸を含む混紡糸によって編成されているので、主編地２１の吸湿性が高く、汗冷えしにくいという効果がある点も、上述したレッグウォーマー１と同様である。
【００３０】
なお、この防寒用靴下２は、主編地２１と外編地２２とが連続的に編成された編地によって形成されているが、これに限定されるものではなく、独立した主編地２１における下腿を覆う部分に、独立した筒状の外編地２２を重ね合わせ、双方の上端部を縫い合わせることによって、主編地２１と外編地２２とを接続するようにしてもよい。
【００３１】
また、編糸や編成方法についても、レッグウォーマーの場合と同様に、任意に選択すればよく、主編地２１と外編地２２とが同じ編地によって形成されていてもよいことは言うまでもない。
【産業上の利用可能性】
【００３２】
本考案は、防寒具及び防寒用靴下に利用することができる。
【符号の説明】
【００３３】
１  レッグウォーマー
２  防寒用靴下
１０  編地
１１  表編地
１２  裏編地
１３  ポリアミド加工糸
２１  主編地
２２  外編地
２３  ポリアミド加工糸
【図１】
0003180354.tif 000003
【図２】
0003180354.tif 000004
【図３】
0003180354.tif 000005
【図４】
0003180354.tif 000006
【図５】
0003180354.tif 000007